Podtech/llm-jp-corpus-v4-ja_patent huggingface dataset:
(57)【要約】【課題】夏に刺身を作る時、熱い手の上に乗せて皮を剥いたり、骨を探して取っている間に、手の体温が魚に伝わり鮮度が悪くなることが生じていた。【解決手段】細菌の付きにくいような表面がつるつるした薄めのシリコンを掌に収まりの良い大きさの丸く平たい袋状にし、指を掛ける輪を２つ２・３設け、本体１の裏側の真ん中に切れ目４を入れ保冷材を入れることを、特徴とする冷手当を提供する。【選択図】図２
2014062349.tif 000002
【特許請求の範囲】
【請求項１】
シリコンを用いて掌に収まりの良い大きさで丸く平たい袋状にし、袋状本体に指を掛ける輪を複数設け、本体の裏側に切れ目を入れ、そこに保冷剤を入れる事を特徴とする冷手当。
【発明の詳細な説明】
【技術分野】
【０００１】本発明は生鮮生物の調理時に手に付けて使用するもので、中に保冷剤を入れられるようにした袋状のシリコンの掌に収まる平たい円型の手当てに関するものである。
【背景技術】
【０００２】従来生物調理時に於いて特に何も無く素手でするのが普通であった。硬い貝を開ける時や棘のある危険な物を扱う時に軍手やゴム手袋をしたりする程度であった。
【発明の概要】
【発明が解決しようとする課題】
【０００３】その為次のような問題があった。夏に刺身を作る時、熱い手の上に乗せ皮を剥いたり骨を探して取っている間に魚の鮮度が悪くなることが生じていた。本発明は以上の問題点を解決する為になされたものである。
【課題を解決するための手段】
【０００４】細菌の付きにくいように表面がつるつるした薄めのシリコンを用いて手の平に収まりの良い大きさの丸く平たい袋状にし袋状本体に指をかける輪（２）（３）を２つ設け本体（１）の裏側の中央に切れ目（４）を入れ、そこに保冷剤を入れる事を特徴とする冷手当である。
【発明の効果】
【０００５】これを手に着ければ冷温なので生物調理をする上で鮮度保持になり手の熱による細菌の繁殖なども防げて衛生上に良い。又調理以外に使用しても体温を下げ熱中症予防にもなる。
【図面の簡単な説明】
【０００６】
【図１】本発明の正面図
【図２】本発明の背面図
【図３】本発明の掌に取付けた状態図
【図４】本発明の図３の背面状態図
【発明を実施するための形態】
【０００７】以下本発明の実施の形態について説明する。
良く手に馴染む様にあまり厚くないシリコンを二枚合わせにし、掌に収まる丸型の袋状にする。その上方に小指が入る指掛け輪（２）を設け、もう一つ親指が入る位置に指掛け輪（３）を設け袋状の丸型のシリコン本体（１）は細菌の付きにくいようつるつるな面を使い、その本体の裏側に切れ目（４）を入れその切れ目（４）に保冷剤を入れる本発明は以上のような構成である。
これを使用する時は本体裏の切れ目から保冷剤を入れ、その面を手に密着させると同時に小指（２）と親指（３）の輪にそれぞれ指を入れこの手当を装着した状態で生物調理する。
【符号の説明】
【０００８】１  袋状の丸型のシリコン本体
２  小指が入る指掛け輪
３  親指が入る指掛け輪
４  本体の裏側に切れ目
【図１】
2014062349.tif 000003
【図２】
2014062349.tif 000004
【図３】
2014062349.tif 000005
【図４】
2014062349.tif 000006
(57)【要約】【課題】  従来、垂直軸の風車の周りに、風車の回転に資するように、風を誘導する装置等をつけたものはなかった。従って、風車の垂直軸を境として、風の力が、垂直軸の風車を回転させる方側と、垂直軸の風車の回転に逆らう方側との両方に加わり、風の力が、垂直軸の風車の回転に充分に作用しなかった。  本発明は、このような問題点を解消し、垂直軸の風車の回転力を増大させるものとして案内羽根つき垂直軸の風車を提供する。【解決手段】  垂直軸の風車（１、３、４）の周りに、風車の回転に資するように、風を誘導する案内羽根（５）を、一定の角度を持たせて複数枚、案内羽根の固定盤（６）に固定して設けた、案内羽根つき垂直軸の風車を特徴とする。【選択図】図２
2014062537.tif 000002
【特許請求の範囲】
【請求項１】
垂直軸の風車（１、３、４）の周りに、風車の回転に資するように、風を誘導する案内羽根（５）を、一定の角度を持たせて複数枚、案内羽根の固定盤（６）に、固定して設けた、案内羽根つき垂直軸の風車。
【発明の詳細な説明】
【技術分野】
【０００１】  この発明は、垂直軸の風車の周りに、風車の回転に資するように、風を誘導する案内羽根を案内羽根の固定盤に固定して設けた、案内羽根つき垂直軸の風車に関するものである。
【背景技術】
【０００２】  従来、垂直軸の風車の周りに、風車の回転に資するように、風を誘導する装置等をつけたものはなかった。
【発明の概要】
【発明が解決しようとする課題】
【０００３】  これは、つぎのような問題点があった。
風車の垂直軸を境として、風の力が、垂直軸の風車を回転させる方側と、垂直軸の風車の回転に逆らう方側との両方に加わり、風の力が、垂直軸の風車の回転に充分に作用しなかった。
本発明は、これらの問題点を解決するためになされたものである。
【課題を解決するための手段】
【０００４】  風車の垂直軸（１）に、正多角形の柱状の風車の胴（３）を設ける。この正多角形の形状に沿って放射状に、板状の風車の羽根（４）を取り付ける。または、風車の羽根（４）のそれぞれの一部分を細工することによって、風車の胴（３）である正多角形を形作り、風車の羽根（４）を直接、風車の垂直軸（１）に取り付ける。風車の胴（３）の方形の面積よりも、風車の羽根（４）を放射方向に大きく設定するので、この部分に風を受けることになる。
これを垂直軸の風車（１、３、４）として、その周りに風車の回転に資するように、風を誘導する案内羽根（５）を固定して設ける。
風を誘導する案内羽根（５）は、一定の角度を持たせて複数枚、案内羽根の固定盤（６）に固定する。
本発明は、以上の構成よりなる案内羽根つき垂直軸の風車である。
【発明の効果】
【０００５】  風車の垂直軸を境として、垂直軸の風車を回転させる方側に受けた風は、一定の角度を持たせて固定した、風を誘導する案内羽根により、垂直軸の風車の羽根に取り込まれて、垂直軸の風車を回転させ、垂直軸の風車の回転に逆らう方側に受けた風は、一定の角度を持たせて固定した、風を誘導する案内羽根により、案内羽根の外側へ回避されるので、垂直軸の風車の羽根には至らず、垂直軸の風車の回転に逆らう力としては作用しない。
従って、垂直軸の風車の回転力は増す。
また、風を誘導する案内羽根には、一定の角度を持たせているため、垂直軸の風車の回転に逆らう方側に受ける風の一部が、垂直軸の風車を回転させる方側へ取り込まれるので、より多くの風で風車を回転させることになり、さらに垂直軸の風車の回転力は増す。
【図面の簡単な説明】
【０００６】
【図１】  本発明の斜視図である。
【図２】  本発明の断面斜視図（Ａ−Ａ）である。
【図３】  本発明の断面図（Ａ−Ａ）である。
【発明を実施するための形態】
【０００７】  以下、本発明を実施するための形態について説明する。
案内羽根の固定盤（６）の中央にベアリング（２）を設け、このようにした案内羽根の固定盤（６）二枚を上下に置いて、その間に風車の垂直軸（１）と垂直軸の風車の胴（３）垂直軸の風車の羽根（４）で構成された垂直軸の風車（１、３、４）を、ベアリング（２）を介して取り付ける。
垂直軸の風車（１、３、４）の周りに、風車の回転に資するように、風を誘導する案内羽根（５）を、一定の角度を持たせて複数枚、案内羽根の固定盤（６）に固定して設置する。
本発明は、以上の構成よりなる。
本発明を使用するときは、この案内羽根つき垂直軸の風車の、案内羽根の固定盤（６）を設置台に固定し、垂直軸の風車（１、３、４）の回転力を風車の垂直軸（１）から取り出して利用する。
また、この発明は、垂直軸の水車として水中において応用することができる。不定方向に流動する水の動きを、回転力として垂直軸から取り出して利用する。
【符号の説明】
【０００８】１  風車の垂直軸
２  ベアリング
３  垂直軸の風車の胴
４  垂直軸の風車の羽根
５  風を誘導する案内羽根
６  案内羽根の固定盤
【図１】
2014062537.tif 000003
【図２】
2014062537.tif 000004
【図３】
2014062537.tif 000005
(57)【要約】      （修正有）【課題】地球引力からの脱出、スタート時に燃料を節約して、燃料タンクを小型化できるロケット打上げ補助装置を提供する。【解決手段】ロケット本体８が台車１０にバンド１３で固定されている。発射台頂部のストッパーに台車が当ると自然にロケットが外れ、自力で上昇する。台車にはワイヤーが固定され、ワイヤーの反対側にロケットと見合ったバランスウェートが付いており、その先端をモーター１６とプーリーで高速で巻き取る。又、超伝導コイル収納ケース７とリニアモーター収納ケース１２を設けて、リニアモーターカー原理を縦に使用する。【選択図】図４
2014141234.tif 000002
【特許請求の範囲】
【請求項１】
人工衛星などを打上げるロケットにおいて、地球引力からの脱出時の莫大な燃料を省力化するため、エレベータの原理を改良したもの、又、リニアモーターの原理を改良したものを応用する為の装置に関するロケット打上げ補助装置。
【請求項２】
通常の発射台より高い架体を組み、ロケットを固定する装置とこれを結ぶ、丈夫なワイヤーと架体頂上の滑車にて反対側にロケットの重量に見合う重量のバランスウウェートをワイヤーに取り付け、その先端の地上にモーターにより回転するドラムに巻き取る装置などを具備した事を特徴とする、（請求項１）記載のロケット打上げ補助装置。
【請求項３】
リニアモーターは既に実用化されて居り、これを垂直に走らせる構造を、架体側に超伝導コイルを連続して配置し、これとロケット側に磁石を配置し、その反発力を縦方向に移動するようにした構造、従って、架体の裏側にはガイドレールを取り付け、車輪で走るようにした事、又、ロケット側の架体にはラックとピニオンにより逆転防止する事を特徴とする、（請求項１）記載のロケット打上げ補助装置。
【発明の詳細な説明】
【技術分野】
【０００１】本発明は衛星などを打上げるロケットの打上げ補助装置に関する。
【背景技術】
【０００２】日本のロケット開発は、ペンシル型から始まって今では衛星を打上げるまで成長した。しかし、衛星が大型化すればする程、重量が肥大化して地球の引力から脱出するために莫大な燃料を一瞬に消費し、その為、大型化し燃料を消費する言う悪循環をしてきた。今、小型化のために固体燃料化を計って居るが、この発明は全く発想を転換したものである。
【発明の開示】
【発明が解決しようとする課題】
【０００３】今後、有人飛行や国際宇宙ステーションへ日本も参加するならば、益々大型のロケットが必要になる。その時にアメリカのスペースシャトルのようなパワーに頼った打上げ方法を考え直して見る必要がある。これがこの発明の課題である。
【課題を解決するための手段】
【０００４】  一つは、東京スカイツリータワーのエレベータの早さと無音に着目した。燃料満杯のロケットの重量に匹敵するバランスウェートを装備し、これをロケットとロープで繋ぎ、その先をモーターでローラーに巻き付ける。モーターは加速が早い。発射台の高さは１０００ｍもあれば、可成りな速度に達する。東京スケイツリーは秒速１０ｍもあり、その間にエンジンが全開に成ればよい。これだけでも可成りな省力になる。もう一つは、今計画中の新幹線はリニアモーターを採用する。これも加速が良い。これも利用価値がある。これを縦型にした状態で使用する。本体にはピニオン、レール側にはラック型のギアーを使い、逆転防止や、上下動に利用する。
【発明の効果】
【０００５】  本発明は既存の技術を改良し有効に活用する事によって、次のような大きな効果が生まれる。
１）衛星等が、大きくなる程スタート時の燃料を大幅に節約する事が出来る。
燃料部「第一段目」が小型化できる。
２）その分だけ環境にやさしく、爆発音も小さくなる。
３）発射台は頂上や昼間部を４方からロープで引いているので、それ程丈夫にしなくと      も良い。
４）モーターやリニアモーターは、スタート時の力が大きいので最適。
５）リモコンでの制御がやり易い。
６）逆転防止になる
【発明の実施例】
【０００６】  以下、図１〜図４により本発明の主要部を説明する。
図４は本体主要部を示すもので、８，ロケット本体（架体）を示し、これが９，台車に１０，バンドで固定されている。図２の６，ストッパーに９，台車が当ると自然に８，ロケットが外れ、自力で上昇する。９，台車には他に２ツの機能があり、２，ワイヤーか固定され、この２，ワイヤーの反対側に８，ロケットと見合った４，バランスウェートが付いており、その先端には図３で示すように１６，モーターで１７，プーリーに高速で巻き取る。巻き取る時２１，ガイドによって分散して捲かれるようにする。１８，副モーターで１９，２０，はその為の簡単な機構示す。Ｃは四方から指示するワイヤー。
【０００７】  一方、７，超伝導コイルが埋設してあるガイドで１２，磁石と反発して進む。７，にはラックを取り付け、１２，にはピニオンが付いており逆転防止にする。２２，架体にはレールが敷いてあり、１１，車輪付台車を１３，バンドで固定している。
【０００８】図１は、本体上部の背面図で、１，は本体打上げよう架体本体で、鋼鉄製である。４，はバランスウェートで、２，ロープに固定されている。又、その両側に５，ガイドレールがあり、３，プーリーで、２，ロープをスムーズに回転させるためのものである。
図３は、矢印Ｂから見た平面図であり、図２、図３、に示したＡは発射台の高さを表すもので、初期エンジンのパワーが最大になる時間から割り出す。約１０００ｍと考えている。又、他の例として、１，本体架体にはラック、９，本体用台車にはピニオンを装備し、逆転防止にする事も出来る。
【図面の簡単な説明】
【０００９】
【図１】  発射台本体の上部背面図
【図２】  発射台本体の上部側面図
【図３】  Ｂ矢印平面図
【図４】  発射台本体の下部側面図
【符号の説明】    １，本体架体                        ２，巻き上げロープ
３，プーリー                        ４，バランスウェート
５，ガイドレール                    ６，ストッパー
７，超伝導コイル収納ケース          ８，ロケット本体
９，本体用台車                    １０，本体固定バンド
１１，車輪付台車                    １２，リニアモーター収納ケース
１３，バンド                        １４，地上コンクリート
１５，プーリー                      １６，ロープ巻き取り用モーター
１７，巻き取り用プーリー            １８，ロープ移動用モーター
１９，２０，２１，ロープ巻き取り用変換部品
Ｃ  は、補強用のワイヤー（昼間部にも取り付ける）
【図１】
2014141234.tif 000003
【図２】
2014141234.tif 000004
【図３】
2014141234.tif 000005
【図４】
2014141234.tif 000006
(57)【要約】【課題】従来のスパイクゴムチェーンは、繋ぎ目が４ヶ所位あり、その繋ぎ目の間隔が、広いため、それをタイヤに装着して、道路で走行するときに、ある程度、道路に積雪がある時はいいが、アスファルトが、所々出ていると、途端に車体全体と、ハンドルに、大きく振動が伝わって運転が、しにくいし、疲れやすい。【解決手段】継ぎ目をなくすために、スパイクゴムチェーンを、リング状で、それをネット状に、した、スパイクゴムチェーンの両側の横を引っ張ると、少し横が広がり、その分縦方向が短くなるのを、利用して、タイヤにフィットする、スパイクゴムチェーンを提供いたします。【選択図】図３
2014141235.tif 000002
【特許請求の範囲】
【請求項１】
１  スパイクゴムチェーンの、縦方向の繋ぎ目を無くして、スパイクゴムチェーンを、リング状にしました、継ぎ目がないため、車体全体の振動と、ハンドルの振動を小さくすることが出来ます。
２  リング状で、繋ぎ目を無くした、スパイクゴムチェーンは、縦方向が少し長くなっていて、スパイクチェーンの、両横側を引っ張ると、縦方向が、短くなるので、スパイクチェーンが、タイヤにフィットする事ができます、これは、スパイクチェーン自体が、網状に、なっているので、横を引けば縦が短くなるのです。
【発明の詳細な説明】
【技術分野】
【０００１】本発明は、従来のスパイクゴムチェーンでの、運転走行はハンドルに大きく振動がある為に、繋ぎ目の無い、スパイクゴムチェーンを、提供いたします。
【背景の技術】
【０００２】図１は図２より、少し長いのは、タイヤの外周よりも、少し大きくなっています、
図２はタイヤの縦方向（外周）の長さと、同じです、両横方向を矢印の方向に引っ張ると、横が広がり、縦方向が短くなる、図のＡ図Ｂ図の長さは、半周の長さです。
【発明が解決しようとする課題】
【０００３】スパイクゴムチェーンを装着して、運転走行して、ハンドルに振動を少なくする。
【発明が解決するための手段】
【０００４】繋ぎ目を無くして、タイヤにフィットさせること、それには図１の図の、スパイクゴムチェーンの、両方の横を、引っ張ると、縦方向が短くなることを、応用した。
【発明の効果】
【０００５】従来よりも、スムーズに運転走行ができる。
【図面の簡単な説明】
【０００６】
【図１】  図１図２は、縦方向を、横向きにした図、スパイクゴムチェーン。
【図２】  図１を両横に引っ張ると、図２のように縦方向が、短くなった状態タイヤに装着するとき、内側、外側、どちらでも、かまいません。
【図３】  最初に、内側は、手動で、ワイヤーバンドをロックした、状態、外側締め付けは、ハンドジャッキーを、使い、ワイヤーバンドをロックした状態です、内側、外側、両方が図３のようになる、符号５の数は片側で、２〜４箇所位で、止めたほうが、均等に、張りやすくなるためです。
【符号の説明】
【０００７】  １        ネットゴムチェーン。
２        スパイク。
３        ワイヤーバンドと、ネットゴムチェーンの、結合金具。
４        ワイヤーバンド。
５        ワイヤーバンドのロック金具。
【図１】
2014141235.tif 000003
【図２】
2014141235.tif 000004
【図３】
2014141235.tif 000005
(57)【要約】      （修正有）【課題】現状の缶容器排出口の位置及び排出口構造においては、内容量物（特に油系）を全て使い切ることは困難なため、缶容器内残量を激減させるために排出口を一つ追加した缶容器を提供する。【解決手段】缶容器の上面の排出口１の対角隅に排出口２を設けたダブル排出口缶容器を特徴とする。缶容器の排出口対角隅に新たに排出口兼空気穴を設けて排出口を２箇所にする缶容器に関するものである。主排出口の対角に排出口兼空気穴を設けたことにより、液体がスムーズに流し出せる。缶容器底に残った液体は排出口２から流しだせるので残量は激減しエネルギー効率が上昇するので環境にも優しく、二酸化炭素の削減にも繋がるのである。【選択図】図１
2014141291.tif 000002
【特許請求の範囲】
【請求項１】
缶容器に２箇所の排出口を設けた缶容器。
【発明の詳細な説明】
【技術分野】
【０００１】  この発明は、缶容器の排出口対角隅に新たに排出口兼空気穴を設けて排出口を２箇所にする缶容器に関するものである。
【背景技術】
【０００２】  従来、缶容器の排出口は１箇所になっていた。
【先行技術文献】
【０００３】
【特許文献１】  特許第１７６２９４５号
【発明の概要】
【発明が解決しようとする課題】
【０００４】  これは、次のような欠点があった。
従来、▲１▼缶のキャップを開封して、注ぎ始める瞬間に飛散して溢してしまうことがあった。▲２▼内容量全てを使い切れず１％以上は缶の底に残ってしまい、困ることが多かった。（多くの人は残量を気にかけていない）
本発明は、以上のような欠点をなくすためになされたものである。
【課題を解決するための手段】
【０００５】  缶容器の上面の排出口（１）対角隅に新たに排出口（２）を設ける。
本発明は、以上の構成よりなる排出口２箇所の缶である。
【発明の効果】
【０００６】  主排出口の対角に排出口兼空気穴を設けたことにより、液体がスムーズに流し出せる。缶容器底に残った液体は排出口（２）から流しだせるので残量は激減しエネルギー効率が上昇するので環境にも優しく、二酸化炭素の削減にも繋がるのである。
【図面の簡単な説明】
【０００７】
【図１】本発明の上面図である。
【図２】本発明の斜視図である。
【発明を実施するための形態】
【０００８】以下、本発明を実施するための形態について説明する。
缶容器の上面の排出口（１）の対角隅に排出口（２）を設ける。
排出口（２）はプルトップ（ＰＯＥ）を採用して簡易開封を基本とする。
本発明は、以上のような構造である。
これを使用するときは、▲１▼内容量物使いきりの時は、主排出口キャップを開封し次にプルトップ（ＰＯＥ）を開口して内容量物を主排出口より流しだし、缶底に残った液体は排出口（２）から流しだす。▲２▼内容量物小分け使用時は、主排出口キャップを開封し内容量物を主排出口より流しだし、使いきりの時にプルトップ（ＰＯＥ）を開口し内容量物を主排出口より流しだし、缶底に残った液体は排出口（２）から流しだし、缶底残量を激減させる。
【符号の説明】
【０００９】  １    缶容器上面の排出口
２    プルトップ（ＰＯＥ）
【図１】
2014141291.tif 000003
【図２】
2014141291.tif 000004
(57)【要約】【課題】農作業を例に取ると、トマトやきゅうり・ぶどう・梨など、植物を支柱や棚と結ぶ紐の需要は多い。そこには残骸処理の問題があり、麻や紙など有機物を素材とするものが良いが、圧倒的に扱い易い化学繊維を素材とする紐が多用される現状がある。また、結ぶことは熟練を必要とする技術的なものである上、金属のように一定の形に固定することが難しいため、鉄筋の「結束線」や、トビが使う「加工番線」のように使いやすく工夫されたものがなかった。【解決の手段】あらかじめ、使用目的に合った適度の長さに切った紐に、「ふた結び」の２つの輪を作り、その形状が維持するように２つの輪を仮固着する。【選択図】図４
2014141292.tif 000002
【特許請求の範囲】
【請求項１】
想定される用途別に、あらかじめ結束に必要な長さに切った紐の一方の端に、「ふた結び」の２つの輪を作り重ね合わせ、その形状を維持しつつも、紐の両端を引くと容易にはずれる程度に仮固着したことを特徴とする、あらかじめふた結びの結び目を備えた結束用紐。
【発明の詳細な説明】
【技術分野】
【０００１】本発明は、結ぶ作業をせずに結べる結束用の紐に関するものである。
【背景技術】
【０００２】ひもで結ぶ作業は、紐を対象物に廻し、紐の両端を持って結び目をつくり、両端を引っ張って結び目を閉じ、余分の部分を切り取って行う。
【発明の開示】
【発明が解消しようとする課題】
【０００３】縄やロープなど紐類は、鉄筋の結束線やとび職が使う加工番線のような、作業を単純化する出来合いの素材は無く、「結び」は結ぶ人の技術のみに頼る手作業であり、技術や能力により結束効果に大きな差が生じるものであった。
また、果樹や野菜の栽培・植木の手入れなど、「結び」が大切な仕事は多々有り、携わる人々は、紐を「廻し・結び・切る」という、一つひとつ気の抜けない手のかかる作業を繰り返えさ無ければいけなかった。また化学繊維の紐は扱い易い長所を持つが、環境問題の上で大きな問題を抱えていた。特殊な問題であるが、災害時の避難所の仮設トイレでは、汚物の入ったポリ袋の口を結束する必要があるが、高齢者や障害者にとっては非常に困難な作業であった。
本発明は、以上の問題点を解決するものである。
【課題を解決するための手段】
【０００４】様々な作業を想定し、それに適した長さに切った紐の手元に、２つの結び目を作り、その形状を保つため、円形の結び目を仮固着する。
【発明の効果】
【０００５】本発明は「結び」の技術を不要にした。道具や器具も必要とせず、誰でも・簡単に・しっかり結束でき、作業の簡易化・軽減化を実現した。また扱い難かった植物繊維の紐を使うことにより、農作物などの有機質の残骸に化学繊維の残骸が紛れ込む、深刻な環境問題を一気に解決した。また本発明は紐の材質にこだわらず、化学繊維の紐でもよい。仮設トイレの問題も、ポリ袋に本発明の結束用紐を固着することで解決する。
【図面の簡単な説明】
【０００６】
【図１】本発明における、ふた結びの、一つ目の結びの輪を表す斜視図
【図２】本発明における、ふた結びの２つの結びの輪を表す斜視図
【図３】本発明における、上下に重ねた結びの輪を表す斜視図
【図４】本発明における、仮固着部を表す斜視図
【図５】本発明の実施例を示す結束作業図
【図６】本発明の実施例を示す結束状況
【図７】本発明の実施例を示す結束用紐を固着した、汚物を入れるポリ袋の斜視図
【図８】本発明の実施例を示す、汚物を入れ結束したポリ袋の斜視図
【発明を実施するための最良の形態】
【０００７】以下本案の実施の形態について説明する。
（イ）結束する対象物に紐の手元（３）を沿えて押さえ、紐の先端（２）を対象物に巻きつける。
（ロ）紐の先端（２）を結び目の輪（４）（５）に通し、紐の先端（２）を引き、しっかり巻きつける。
（ハ）紐の手元（３）と紐の先端（２）の両端を引っ張る。
本発明は以上のような構造である。
【符号の説明】
【０００８】１  結束用紐    ２  紐の先端    ３  紐の手元    ４  「ふた結び」の下の輪
５  「ふた結び」の上の輪        ６  仮固着部    ８  本発明の形態
９  ポリ袋
【図１】
2014141292.tif 000003
【図２】
2014141292.tif 000004
【図３】
2014141292.tif 000005
【図４】
2014141292.tif 000006
【図５】
2014141292.tif 000007
【図６】
2014141292.tif 000008
【図７】
2014141292.tif 000009
【図８】
2014141292.tif 000010
(57)【要約】【課題】がん根絶経口薬の完成版を提供する。【解決手段】主としてヒトｉＰＳ仲介でがん細胞を初期化するのに必要なマイクロＲＮAの1つであるmiR-520dを用意し、これを胃酸や熱で壊れないようにコーティングするか、カプセルに入れ、従来、miR-520dを血液中に入れていたが、これを経口式にすることで口から飲むという単純化とし、このようにしてマイクロＲＮAの1つであるmiR-520dを腸で消化吸収し血液中の成分となり全身に血液に乗って行き渡り全身末期がんの全細胞が初期化し正常細胞に戻りで完成する特徴を持つ完成版がん根絶経口薬。【選択図】なし【特許請求の範囲】
【請求項１】
（ィ）主としてヒトｉＰＳ仲介でがん細胞を初期化するのに必要なマイクロＲＮAの1つであるmiR-520dを用意し、
（ロ）これを胃酸や熱で壊れないようにコーティングするか、カプセルに入れ、
（ハ）従来、miR-520dを血液中に入れていたが、これを経口式にすることで口から飲むという単純化とし、  
（ニ）このようにしてマイクロＲＮAの1つであるmiR-520dを腸で消化吸収し血液中の成分となり全身に血液に乗って行き渡り全身末期がんの全細胞が初期化し正常細胞に戻りで完成する、                                                      
以上のような特徴を持つ完成版がん根絶経口薬。
【発明の詳細な説明】
【技術分野】
【０００１】
本発明は、ヒトｉＰＳを介したがんの完治を目的とした治療薬に関する。
【背景技術】
【０００２】
従来、ヒトｉＰＳがん初期化の発見発明があったが全身がん細胞まで届ける技術はなかった。
【０００３】
【非特許文献１】「ニュートン」2014年4月号、9頁。
【非特許文献２】「日経プレスリリース」2014年1月25日。
【非特許文献３】「サイエンティフィクレポート誌オンライン版」2014年1月24日付
【特許文献１】特開2011-142833
【発明の開示】
【発明が解決しようとする課題】
【０００４】
従来、ヒトｉＰＳがん初期化の発見発明があったが全身がん細胞まで届ける技術はなかったので最新技術よって改良実現させる。        
【課題を解決するための手段】
【０００５】
ヒトｉＰＳ仲介がん細胞初期化するmiR-520dをカプセルに入れるかコーティングして経口で腸での消化吸収し血液成分として全身のがん細胞まで届ける。
【発明の効果】
【０００６】
全身がん細胞を正常細胞に初期化して治す。
【発明を実施するための最良の形態】
【０００７】
以下、本発明の実施例について時系列的に文章で説明する。主としてヒトｉＰＳ仲介でがん細胞を初期化するのに必要なマイクロＲＮAの1つであるmiR-520dを用意し、これを胃酸や熱で壊れないようにコーティングするか、カプセルに入れ、従来、miR-520dを血液中に入れていたが、これを経口式にすることで口から飲むという単純化とし、このようにしてマイクロＲＮAの1つであるmiR-520dを腸で消化吸収し血液中の成分となり全身に血液に乗って行き渡り全身末期がんの全細胞が初期化し正常細胞に戻りで完成する、                                                      
以上のような特徴を持つ完成版がん根絶経口薬。
【実施例】
【０００８】
上記の形態や非特許文献の如く実施される。
【産業上の利用可能性】
【０００９】
従来、ヒトｉＰＳがん初期化の発見発明があったが全身がん細胞まで届ける技術はなかったので最新技術よって改良実現させるため、ヒトｉＰＳ仲介がん細胞初期化するmiR-520dをカプセルに入れるかコーティングして経口で腸での消化吸収し血液成分として全身のがん細胞まで届ける。 がん薬の改良技術で大きく進歩を遂げがん患者数が多い中この薬の需要の産業上の利用可能性は高いと解される。
(57)【要約】 【課題】  従来の標識はいづれも照明装置は無く、停止しているものばかりで観る人に注意を呼びかける事は少なかった。【解決手段】  上部部分に回転反射装置を設け、中間部にソーラーパネルを組み込んだＬＥＤ照明装置を内設し、下部には適宣形状の取り付け部材を備えてなるソーラー式回転表示装置が付いているので、夜でも光って良く見える。 昼はソーラーで十分に充電がされる。 依って昼夜ともに良く視認出来るので、交通事故防止に役立つ事が出来る。【選択図】  図１
2014141788.tif 000002
【特許請求の範囲】
【請求項１】
上部部分に回転反射装置を設け、中間部にソーラーパネルを組み込んだＬＥＤ照明装置を内設し、下部には適宣形状の取り付け部材を備えてからなる事を特徴とする、ソーラー式回転表示装置。
【発明の詳細な説明】
【技術分野】
【０００１】
本発明はソーラー装置付回転板標識器に関するものである。
【背景技術】
【０００２】
従来の標識、簡易型標識はいづれも照明装置はなく観る人に注意、又は危険を呼びかけるにはいまいち弱かった。（特許文献１参照）
【先行技術文献】
【特許文献】
【０００３】
【特許文献１】特許第３６７３８０３号公報
【発明の概要】
【発明が解決しようとする課題】
【０００４】
いづれの簡易型標識も信号機以外は停止しているものばかりで、完全に注意を呼びかけるものではなかった。
【課題を解決するための手段】
【０００５】
上記目的を達成するために本発明は発明された、既存の道路標識はいづれも停止しているものばかりで通行する人達にあまり良く見えない。本発明は風で動くのでよく見える、明かりが付くので良く視認出来る。
【発明の効果】
【０００６】
現状では交通事故防止の標識は、交差点の手前に標識柱が設置されているが、上部部分に白もしくは薄いクリームの反射テープで複数の線が施してあるだけで、あまり良く見えないので等しく困っている。
当該標識は自然の力を利用して、僅かな風でも動く様に設計されているので良く見える、尚かつ明かりがつくので良く視認でき、依って交通事故防止に役立つ事が出来る。
当該標識は上部に回転板を設け、中間部にはソーラー装置及び電源点滅装置を内設してあるので昼でも良く見え、夜は明かりがつくので良く見える。
依って交差点に複数本の当該標識が設置される事に依って、交通事故が減少する事は間違いない。
【図面の簡単な説明】
【０００７】
【図１】ソーラー式回転表示装置正面図
【図２】ソーラー式回転表示装置斜視図
【図３】ソーラー式回転表示装置断面図
【発明を実施するための形態】
【０００８】
信号機のない比較的、小さな交差点に全国的に標識ポールは数多く設置されているが、照明が無いので夜になると全く見えなくなって終う、未完成標識ポールである。当該標識ポールはその欠点を解決した、その標識ポールの上端部に回転板付表示装置を設置し、複数のビスでしっかりと固定する。
【実施例】
【０００９】
比較的小さな交差点には全国的に数多く設置されているが、いずれも照明は無く良く見えないので等しく困っている。 しかしそれに変わるものは現在何も無い、依って本品は発明された。現在設置されている標識ポールの上端部にソーラー式表示装置を設置し、複数のビスでしっかりと固定する。夜でもしっかり見えるので交通事故防止に役立つ事が出来る。
図１から図３を用いながら詳細を説明する。図中の１０はコーン載置部であって、既存の三角コーンや標識ポールの上端に被せて取り付けるものである。コーン載置部の上部にはソーラーパネルとＬＥＤ照明装置が一体となったソーラー式表示装置が設置されている。図中の６がソーラーパネルであって、ここで発電した電力をバッテリー８に蓄える。この電力を使って夜間に７と９のＬＥＤ照明を点灯させる。またスイッチ１１により照明をオンオフさせるものであり、昼間はオフにして、夜間はオンにするものである。
前記ソーラー式表示装置の上方には回転表示装置が設けられている。１が回転板の枠であり、枠内に回転反射板２が上下方向の軸で取り付けられている。回転反射板の表と裏は異なった色にしてあり（例えば赤とシルバー等）、また反射材が使用されている。風によって回転することにより、昼間は色が変わることで運転者や歩行者の注意を促すことができる。また夜間は、ヘッドライト等を反射することにより同様に注意を促すことができる。
また反射板２の表面側端部には風を効率的に受けて一方向に回転させるための表面側に立ちあがった風受け部３が設けられている。裏面にも同様に回転対称な位置に風受け部３が設けられている。これにより弱い風であっても効率的に回転させることができる。
【符号の説明】
【００１０】
１  回転板クルピカ本体
２  回転反射板
３  回板風受部材
４  クルピカ回転軸
５  防水用透明カバー
６  ソーラーパネル
７  両側面ＬＥＤ照明
８  ＬＥＤバッテリー
９  前背面ＬＥＤ照明
１０  コーン載置部
１１  電源スイッチ
【図１】
2014141788.tif 000003
【図２】
2014141788.tif 000004
【図３】
2014141788.tif 000005
(57)【要約】【課題】元の商品（スマートキー）の、本体は、衝撃等で、破損、傷付いたり、汚れたりするのと、本体で他の商品に傷等を付けてしまう事がある。【解決手段】元の商品（スマートキー）本体を、袋体の布で包み保護し、破損、傷、汚れから守り、袋体の内側に緊急連絡先記入材を付け、布面に装飾をあしらい、アクセサリーとして、使用出来る、商品にする【選択図】図１
2014141851.tif 000002
【特許請求の範囲】
【請求項１】
元の商品（スマートキー）の保護具で、保護材の下端が開放され上端に穴を2個設け、外側と内側を貫通する袋体の保護具。
【請求項２】
袋体の保護材の内側に、メモ材を表から見えない様取り付け緊急連絡に使用出来る保護具。
【請求項３】
保護材に装飾をあしらいアクセサリーとして使用出来る保護具。
【発明の詳細な説明】
【技術分野】
【０００１】
本発明は元の商品（スマートキー）の保護具を提供するものである。
【０００２】
従来の技術
今までの自動車の鍵は大分部分は金属で出来ていて、鍵を保持・携帯するには、キーホルダーや、キーケースが多く採用されている。
【０００３】
キーホルダーは、鍵を何本かリングに入れ、保持しポケットなどに入れ保管するが、鍵は金属製が多く、数本入れると、たがいが触れて不快な音が発生し、問題があった。
【０００４】
キーケースは金属製の鍵を数本収納出来るが最近のスマートキーは収納出来ない、
問題がある。
【０００５】
発明が解決しようとする課題
近年の鍵はワイヤレスリモコンの様に、樹脂で出来ているためキーケースに、収納出来ない
のと、キーホルダーで保持していると他の鍵と触れ合い、衝撃で破損、傷、汚れ、
などが付いてしまう。
【０００６】
課題を解決する為の手段
本発明の保護具の構成は袋体の内側に入れ吊り下げ具とリングを使いベルトアンカー
下げたりポケットに収納でき、衝撃による、破損、傷、汚れから守り、又内側
に緊急連絡記入材を取り付け、外側に装飾をあしらい
アクセサリーとして使用出来る商品である。
【先行技術文献】
【特許文献】
【０００７】
【特許文献１】元の商品の機能を維持し製品の傷、汚れを軽減し、衝撃を緩和し破損を軽減する布材で包み、商品を保護するとともに、布材の内側にメモ材を入れ緊急連絡先を記入出来、しかも、表地に装飾をあしらい、アクセサリーとして機能を持つ保護具である。
【発明の概要】
【発明が解決しようとする課題】
【０００８】
元の商品（スマートキー）の本体は、衝撃等で破損。傷付いたり、汚れたりするのと、本体で他の商品に傷等を付けてしまう事がある。
【課題を解決するための手段】
【０００９】
元の商品（スマートキー）の、本体を袋体の布で包み保護、破損、傷、汚れから守り、袋体の内側に、緊急連絡先を記入できる材料をつけ、保護具、表側に装飾をあしらい、アクセサリーとして、使用出来る様にする
【図面の簡単な説明】
【００１０】
【図１】本考案による保護具を構成関係を、示す図である
【産業上の利用可能性】
【００１１】
製品の製造について。
保護材を保護具に作りあげるには、保護材(廃車車両一部のシート地を使用）選定と、保護材にあらゆる装飾を選定し製品にする。又設備投資に資金を大量に必要が無く、製造するのに必要な人材があれば、誰でも直ぐに作ることが、可能であり復興に使えるのでは。
販売方法について。
野球場・サッカー場・観光地のみやげ店、神社、仏閣のお守り販売店、公共施設の記念品、インターネット等による販売。
【符号の説明】
【００１２】
A・リング    商品を吊り下げ具で、袋体の保護材を貫通させ、吊り下げ具が保護材が取れない様にリングで押さえる。
B・穴１・穴２  商品の吊り下げ穴の位置が真ん中（穴１）、隅（穴２）とで吊り下げ具の通す位置を変える事が出来る。
C・吊り下げ具  商品と、袋体の保護材を貫通させ、一体化させる物。
D・布の保護材  なめらかな材料で、印刷、刺繍できる、材料で作る。
E・メモ材  電話番号、血液型を記入出来る材料で作る。  
H・元の商品  スマートキー（ワヤレスキー）
【図１】
2014141851.tif 000003
(57)【要約】【課題】細く深い穴を掘るには剣先スコップを使うが、深度が増すにつれてスコップが垂直に近づくため、掘削土がずり落ち排出が難しくなり、掘削が不可能になる。そのため、通称Ｗスコップと呼ばれる特殊な道具が有るが、一度に掘削できる土量が極わずかであるため効率が悪く、敬遠されがちである。昔から２人が向かい合って掘削土を排出する「合わせスコップ」と言う工法が有るが、人件費や狭い場所での共同作業のため、人間関係の問題も有って、ほとんど行なわれていないのが現状である。本発明は、掘削深度が増し、スコップの角度が垂直に近づいても、２人で行う合わせスコップ工法と同じように掘削土を排出できる器具を提供する。【解決手段】向かい合わせに差し込んだ２丁のスコップの柄を、タイトキーで挟み込み、掘削土を確保し、２丁のスコップと排出土・合わせスコップのタイトキーを一体として地上に引き上げる。【選択図】図５
2014141864.tif 000002
【特許請求の範囲】
【請求項１】
柄の下方に、向かい合わせにした２丁のスコップの柄を挟み込み、固定するための丸型のタイトキー、又は角型のタイトキーを持ち、柄の上方に取っ手を付けた、挟んだ掘削土を保持するため、２丁のスコップを固定する器具。
【発明の詳細な説明】
【技術分野】
【０００１】  取っ手の付いた柄の下方に、向かい合わせた２丁のスコップの柄を挟み込み、掘削土を確保するためのカギを備えた、合わせスコップのタイトキーに関するものである。
【背景技術】
【０００２】  従来スコップで細い穴を掘削する作業は、剣先スコップか、通称Ｗスコップと呼ばれる特殊な道具を使用して行われた。
【発明の開示】
【発明が解決しようとする課題】
【０００３】  従来の剣先スコップによる細く深い穴の掘削作業は、深度が増すにつれてスコップが垂直に近づくため、掘削土を掻き揚げることが難しくなる。そのため、通称Ｗスコップと呼ばれる特殊な道具が有るが、一度に掘削できる土量が極端に少ないため、作業効率が激減する。また以前には、２人の作業員が向かい合い、各々のスコップを向かい合わせて差し込み、挟み込んだ穴の奥の掘削土を掻き揚げる「合わせスコップ」と言う方法が行われたが、人件費の問題や、極狭い状況での共同作業と言う難点も有り、現在ではほとんど忘れられた作業方法となっている。本発明は以上の問題点を解決するものである。
【課題を解決するための手段】
【０００４】  向かい合わせに差し込んだ２丁のスコップの取っ手を合わせ、２丁のスコップの柄をタイトキーで挟みつけ、取っ手を押し下げ、２丁のスコップの間に掘削土を挟みこんで排出する。
【発明の効果】
【０００５】  本発明によって、穴が深くなっても剣先スコップで掘削した掘削土を、そのまま排出することが可能になり、作業効率を落とさず作業が出来る。また柄を挟むタイトキーは、片面が開放された形状であるため着脱が容易で、過去には２人で行われた合わせスコップの作業を、単独で行うことを可能にし、作業のスピードアップと人件費の削減に大きく貢献する。
【図面の簡単な説明】
【０００６】
【図１】合わせスコップのタイトキーの丸型の斜視図
【図２】合わせスコップのタイトキーの角型の斜視図
【図３】合わせスコップのタイトキーの丸型の側面図
【図４】合わせスコップのタイトキーの角型の側面図
【図５】合わせスコップのタイトキーの丸型の実施例を示す斜視図
【図６】従来の丸棒の柄のスコップの正面図
【図７】はしご型の柄のスコップの正面図
【発明を実施するための最良の形態】
【０００７】  剣先スコップの柄（９）又ははしご型の柄のスコップの柄（６）と同等の長さを持つ柄（２）の上方に取っ手（１）と、下方に２丁のスコップの柄（９）又は（６）を挟み込むタイトキー（３）又は（４）を取り付けた器具。
本発明は以上のような構造である。
本発明は、スコップの柄が棒状（９）、又ははしご型（６）によってタイトキーを選択する。丸い棒状の柄の通常のスコップの時は、丸型タイトキー（３）を使い、はしご型の柄のスコップの時は、角型タイトキー（４）を使う。
丸型タイトキーも角型タイトキーも使用方法は同じで、差し込んだスコップの対面に、もう１丁のスコップを同じ深さまで差し込み、両方のスコップの取っ手（７）又は（１０）を合わせ、二等辺三角形の斜辺状に向かい合う２つの柄、（９）又は（６）に、タイトキー（３）又は（４）を被せ、器具の取っ手（１）を押し下げてしっかり固定する。２丁のスコップで挟み込んだ掘削土を、２丁のスコップ・合わせスコップのタイトキーと共に地上に引き揚げる。
【符号の説明】
【０００８】１  合わせスコップのタイトキーの取っ手
２  合わせスコップのタイトキーの柄                ３  丸型フック
４  角型フック        ５  はしご型スコップの刃の側面        ６  はしご型の柄
７  はしご型の柄の取っ手      ８  剣先スコップの刃の正面
９  剣先スコップの柄        １０  剣先スコップの取っ手
１１  はしご型スコップの刃の正面
【図１】
2014141864.tif 000003
【図２】
2014141864.tif 000004
【図３】
2014141864.tif 000005
【図４】
2014141864.tif 000006
【図５】
2014141864.tif 000007
【図６】
2014141864.tif 000008
【図７】
2014141864.tif 000009
(57)【要約】【課題】従来のスコップで細く深い穴を掘る場合、深度が増すにつれてスコップの肩に足を掛けて踏み込むことが難しくなり、作業効率が極端に落ちる。また、従来のスコップの棒状の柄を支えるには、握力に頼らなければいけないため、肉体的負担が大きかった。【解決手段】スコップの柄をはしご型にすることで、取ってまで段階的に足がかりが出来るため、深度がスコップの長さいっぱいまで足で踏み込むことが出来るようになり、深度が増しても作業効率が落ちなくなった。また足がかりに手をかけることが出来るため、スコップを支持し易くなり、肉体的負担が軽減した。【選択図】図１
2014141863.tif 000002
【特許請求の範囲】
【請求項１】
柄をはしご型にしたスコップ。
【発明の詳細な説明】
【技術分野】
【０００１】この発明は、柄をはしご型にしたスコップに関するものである。
【背景技術】
【０００２】従来のスコップの柄は、棒状・またはその先端にＴ字や輪状の取っ手を付けたものであった。
【発明の開示】
【発明が解決しようとする課題】
【０００３】スコップは、肩の部分を足で踏み込んで力を加えて土に差し込み、テコの原理で掘り起こし、掘削土をかき上げる道具である。そのため細く深い穴を掘る場合、掘り進むにつれて肩の部分が地下に潜り、足で踏み込んで力を加えることが難しくなり、掘削効率が悪くなる問題が有った。本発明は以上の問題点を解決するものである。
【課題を解決するための手段】
【０００４】スコップの柄をはしご型にすることで、柄の部分に足がかりが出来るため、深度が増し、スコップの肩が穴の中に入り込んでも、足で踏み込み、強い力を加えることが出来る。
本発明は、以上のような構成よりなる掘削道具である。
【発明の効果】
【０００５】本発明によって細い穴の掘削時、深度が増してもスコップに強い力を加えることが出来るようになり、はしご型の柄のスコップが届く範囲内の深さでは、浅い場所と変わらない高い作業効率を維持出来る。またはしご型の柄は、足がかりに手を掛けて支持出来るため、掘削作業における肉体的負担が大きく軽減した。
【図面の簡単な説明】
【０００６】
【図１】はしご型の柄のスコップの正面図。
【図２】はしご型の柄のスコップの側面図。
【発明を実施するための最良の形態】
【０００７】本発明のはしご型の柄のスコップは、はしごの段が足がかり（５）となるため、取っ手（６）の深さまで足を掛けて踏み込むことが出来る。
【符号の説明】
【０００８】１  はしご型の柄のスコップ      ２  スコップの肩
３  スコップの先      ４  スコップの面      ５  足がかり
６  取っ手
【図１】
2014141863.tif 000003
【図２】
2014141863.tif 000004
(57)【要約】【課題】  冊子に印刷された情報に対して、複数の観点ないし基準に基づく検索が可能にする。【解決手段】  冊子の背以外の辺に所要の切り込みを設けることによって、切り込みの数だけの観点ないし基準のレベル数の検索が簡易に行えるようにする。【選択図】  図１
2014141013.tif 000002
【特許請求の範囲】
【請求項１】
冊子の各頁ごとに、その頁に掲載されている情報の観点ないし基準のレベルに対応する辺部分が切り残されていることを特徴とする冊子
【発明の詳細な説明】
【技術分野】
【０００１】
本発明は、各頁に細工を施し、テーマに適合する頁だけを選択的に閲覧できる冊子に関する。
【背景技術】
【０００２】
冊子の頁には、各種の情報が表現されている。そして、その各種情報は、ある観点ないし基準で配列される。
その観点ないし基準に従って情報を見ていくことが通常である。しかし、ときどき、その冊子が設定した観点ないし基準と異なる観点ないし基準に基づいて、それらの情報にアクセスすることを望むことがあり得る。
【０００３】
例えば、Ａ自動車販売会社（ディーラー）の各店舗のお奨めする飲食店を紹介する冊子があったとする。そのときに、そのお奨めする飲食店がある地域（町）と、それらの飲食店が提供する食べ物のジャンル（和食・洋食・中華等）とに関して、区分けされていたならば、ある地域で食事がしたいときの検索にも耐えられるであろうし、地域には拘らないで、食べ物のジャンルで検索することにも耐えられるようになるであろう。
【０００４】
しかし、従来の冊子（広告紹介誌等）では、一つの観点ないし基準に基づいて配列することしか、行われていなかった。すなわち、地域ごとに纏めて配置して、地域基準に関する検索には頁を順にめくることで対応させ、食べ物のジャンルに関する検索には、要すれば、巻末に索引を用意する程度のことしか行われてこなかった。
【発明の開示】
【発明が解決しようとする課題】
【０００５】
本発明は、冊子に印刷された情報に対して、複数の観点ないし基準に基づく検索が可能にすることを課題とする。
【課題を解決するための手段】
【０００６】
本発明は、冊子の背以外の辺に所要の切り込みを設けることによって、切り込みの数だけの観点ないし基準のレベル数の検索が簡易に行えるようにする点に特徴を有する。
すなわち、本発明は、冊子の綴じられている背以外の辺の辺長を所要等分し、各頁の印刷されている情報に基づき、適合する観点ないし基準レベルの対応する部分だけを残して他の部分を切り落とすことを特徴とする。
【発明の効果】
【０００７】
本発明の冊子は、希望する観点ないし基準レベルの残された辺部分に指を当て、その指に当たった頁だけを順の開いていけば、その観点ないし基準レベルの合致した情報が記載された頁だけを順次読むことができるという、格別の利点が得られる。
【図面の簡単な説明】
【０００８】
【図１】図１は、冊子の１頁を示す説明図である。
【図２】図２は、冊子を開いたときの片方を示す説明図である。
【発明を実施するための形態】
【０００９】
図１は、冊子の１頁を示す説明図である。図１において、１は冊子の任意の１頁である。１の表面には、情報が記載されており、その情報に適合する観点ないし基準レベルに応じて、切り残し２を残す。図示例では、観点ないし基準のレベル数は、６としてある。
図２は、冊子を開いたときの片方を示す説明図である。図２では、切り残し２が、２−１、２−２、２−３、２−４、２−５および２−６のように、全て見えるが、それらは各頁に一つずつ残されており、全体として、全てが見えるわけである。
【００１０】
例えば、２−１は、和食の店舗を、２−２は洋食の店舗、２−３は中華の店舗、・・・等を表すとする。この冊子を手にした人は、例えば洋食を供する店舗を検索するとすると、２−２の切り残しの部分に指を持ち、ページをめくると、洋食を供する店舗の記事が次々に現れ、他の食べ物のジャンルの記事を掲載したページが現れることがない。
【００１１】
言うまでもなく、ある地域で何か食事をしたいときにその地域にどのようなジャンルの食事を供する店舗があるか、という情報を得ようとするときには、その地域の情報が掲載されているページを索引で知り、そのページを開くことになる。地域ごとにページが連続していれば、ページをあちこちに飛ばす必要はない。
【産業上の利用可能性】
【００１２】
本発明の冊子によれば、検索が、所望の観点ないし基準のレベルに基づいて、簡便に、且つ、短時間に、行うことができ、冊子の利用者の利便が非常に高いといえる。
【符号の説明】
【００１３】
１：冊子の任意の頁
２：（辺の）切り残し
【図１】
2014141013.tif 000003
【図２】
2014141013.tif 000004